(57)【要約】【課題】コンピュータ本体が生産ラインやプラント内に設置される場合でも容易にその電源操作を行うことができるようにすることである。【解決手段】タッチパネルディスプレイ１１と、タッチパネルディスプレイ１１に接続されるコンピュータ本体１２とを含むコンピュータ１０において、タッチパネルディスプレイ１１は、コンピュータ本体１２の起動を指示する起動信号を発生するコンピュータ本体起動・終了信号発生部２９と、コンピュータ本体１２へ起動信号を送信するコンピュータ本体起動・終了信号送信部２６とを備え、コンピュータ本体１２は、タッチパネルディスプレイ１１から起動信号を受信するコンピュータ本体起動・終了信号受信部３０と、起動信号を受信した場合にコンピュータ本体１２を起動させるように制御するコンピュータ本体起動・終了制御部３４とを備える構成とする。【選択図】図２
2010128632.tif 000002
【特許請求の範囲】
【請求項１】
表示部と、該表示部上に設けられたタッチパネルとを有し、コンピュータ本体に接続されるタッチパネルディスプレイにおいて、
前記コンピュータ本体の起動を指示する起動信号を発生するコンピュータ本体起動信号発生部と、
前記コンピュータ本体へ前記起動信号を送信するコンピュータ本体起動信号送信部とを備えたことを特徴とするタッチパネルディスプレイ。
【請求項２】
タッチパネルディスプレイに接続されるコンピュータ本体において、
前記タッチパネルディスプレイから起動を指示する起動信号を受信するコンピュータ本体起動信号受信部と、
前記起動信号を受信した場合にコンピュータ本体を起動させるように制御するコンピュータ本体起動制御部とを備えたことを特徴とするコンピュータ本体。
【請求項３】
表示部と、該表示部上に設けられたタッチパネルとを有するタッチパネルディスプレイと、該タッチパネルディスプレイに接続されるコンピュータ本体とを含むコンピュータにおいて、
前記タッチパネルディスプレイは、前記コンピュータ本体の起動を指示する起動信号を発生するコンピュータ本体起動信号発生部と、
前記コンピュータ本体へ前記起動信号を送信するコンピュータ本体起動信号送信部とを備え、
前記コンピュータ本体は、前記タッチパネルディスプレイから前記起動信号を受信するコンピュータ本体起動信号受信部と、
前記起動信号を受信した場合にコンピュータ本体を起動させるように制御するコンピュータ本体起動制御部とを備えたことを特徴とするコンピュータ。
【請求項４】
表示部と、該表示部上に設けられたタッチパネルと、コンピュータ本体起動信号発生部と、コンピュータ本体起動信号送信部とを有し、コンピュータ本体に接続されるタッチパネルディスプレイの制御方法であって、
前記コンピュータ本体起動信号発生部が、前記コンピュータ本体の起動を指示する起動信号を発生するステップと、
前記コンピュータ本体起動信号送信部が、前記コンピュータ本体へ前記起動信号を送信するステップとを含むことを特徴とするタッチパネルディスプレイの制御方法。
【請求項５】
コンピュータ本体起動信号受信部と、コンピュータ本体起動制御部とを有し、タッチパネルディスプレイに接続されるコンピュータ本体の制御方法であって、
前記コンピュータ本体起動信号受信部が、前記タッチパネルディスプレイから起動を指示する起動信号を受信するステップと、
前記コンピュータ本体起動制御部が、前記起動信号を受信した場合にコンピュータ本体を起動させるように制御するステップとを含むことを特徴とするコンピュータ本体の制御方法。
【請求項６】
請求項４に記載のタッチパネルディスプレイの制御方法を実現するためのタッチパネルディスプレイの制御プログラム。
【請求項７】
請求項５に記載のコンピュータ本体の制御方法を実現するためのコンピュータ本体の制御プログラム。
【発明の詳細な説明】
【技術分野】
【０００１】
本発明は、タッチパネルディスプレイと、これに接続されるコンピュータ本体と、これらタッチパネルディスプレイとコンピュータ本体とを含むコンピュータと、タッチパネルディスプレイの制御方法と、コンピュータ本体の制御方法と、コンピュータの制御方法と、タッチパネルディスプレイの制御プログラムと、コンピュータ本体の制御プログラムとに関する。
【背景技術】
【０００２】
工場の生産ラインには、ロボット、搬送装置、調節計、工作機械等の様々なデバイスが設置されている。そして、これらのデバイスの制御のため、デバイスに直接又はＰＬＣ（Programmable Logic Controller）等を介して、プログラマブル表示器が接続される。これらデバイス、ＰＬＣ、プログラマブル表示器をまとめて、以下では制御システムと呼ぶ。
【０００３】
そして近年、ネットワーク技術の発展に伴い、複数の制御装置をＬＡＮ（Local Area Network）等のネットワークに接続し、ＰＣ（Personal Computer）等のコンピュータで管理する機器監視制御システムが実用化されている。このシステムによれば、例えば、各プログラマブル表示器が保持する情報をコンピュータで収集することにより、情報の一元管理を行うことが可能である。ここでのコンピュータは一般的にタッチパネルディスプレイとコンピュータ本体とで構成されており、防塵性などの観点からタッチパネルディスプレイの採用は必須となっている。
【０００４】
このタッチパネルディスプレイにおいては、従来からその利便性を向上させる様々な技術が提案されている。例えば、特許文献１には、使用者が特別なアプリケーションの実行や、特別な切替用タッチボタンの操作を伴わない簡単な切替操作を行うことを可能にするタッチパネル入力コンピュータの実現を目的とし、タッチパネル上の任意の座標位置において、タッチパネルに接触する面積の大小及び同時にタッチパネルに接触する座標点の個数を検知し判別することで、クリック操作の切替を行うように構成したタッチパネル入力コンピュータが開示されている。
【０００５】
また特許文献２には、左利きの人が利用する場合に、テンキーが利き手側になり、手を大きく移動することなく操作を行うことができるタッチパネルコンピュータの実現を目的とし、タッチ入力可能なタッチパネル付き液晶パネルと、数値入力等のデータ入力を行うテンキーと、上下左右にカーソルを移動するための矢印キーとを備え、ＲＯＭにはテンキー及び本体を１８０度回転させて使用する場合に対応するテンキーの機能の対応関係を示す左手・右手テーブルが格納され、ＣＰＵは本体を１８０度回転させて使用する場合にテンキー及び矢印キーを使用するとき、左手・右手テーブルから各テンキーの機能情報を読み出して、使用されたテンキーの機能の対応付けを行う処理を行うように構成したタッチパネルコンピュータが開示されている。
【特許文献１】特開２０００−２８４９１２号公報
【特許文献２】特開２００２−２１５３０４号公報
【発明の開示】
【発明が解決しようとする課題】
【０００６】
ところで、上記のコンピュータでは、コンピュータ本体にその電源スイッチが設けられている。そして、コンピュータが生産ラインやプラント内に設置される場合、その設置場所は限られた空間に制限される。そのため、コンピュータの電源操作を行う際は、使用者が制御システム等の制限された空間に入り込んで、コンピュータ本体の電源スイッチを直接操作しなければならず、操作性が悪いという問題がある。この問題は上記特許文献１、２でも解決されていない。
【０００７】
本発明は、コンピュータ本体が生産ラインやプラント内に設置される場合でも容易にその電源操作を行うことができるタッチパネルディスプレイ、コンピュータ本体、コンピュータ、制御方法及び制御プログラムを提供することを目的とする。
【課題を解決するための手段】
【０００８】
上記目的を達成するために本発明は、表示部と、該表示部上に設けられたタッチパネルとを有し、コンピュータ本体に接続されるタッチパネルディスプレイにおいて、前記コンピュータ本体の起動を指示する起動信号を発生するコンピュータ本体起動信号発生部と、
前記コンピュータ本体へ前記起動信号を送信するコンピュータ本体起動信号送信部とを備えたことを特徴とする。
【０００９】
また本発明は、タッチパネルディスプレイに接続されるコンピュータ本体において、前記タッチパネルディスプレイから起動を指示する起動信号を受信するコンピュータ本体起動信号受信部と、前記起動信号を受信した場合にコンピュータ本体を起動させるように制御するコンピュータ本体起動制御部とを備えたことを特徴とする。
【００１０】
また本発明は、上記のタッチパネルディスプレイとコンピュータ本体とを含むコンピュータ及びその制御方法、上記のタッチパネルディスプレイの制御方法、上記のコンピュータ本体の制御方法、上記のタッチパネルディスプレイの制御プログラム、上記のコンピュータ本体の制御プログラムも含むこととする。
【発明の効果】
【００１１】
本発明によれば、タッチパネルディスプレイからコンピュータ本体の電源を操作できるようにすることにより、コンピュータ本体が生産ラインやプラントのような機器監視制御システムに設置される場合でも、制限された空間に設置されたコンピュータ本体まで操作者が行く必要がなくなる。したがって、操作者にとってコンピュータの操作性が向上する。
【００１２】
また、本発明によれば、コンピュータ本体の電源スイッチをコンピュータ本体から配線を延長してタッチパネルディスプレイ付近に設ける場合に比べて、機器監視制御システムに新たな配線が不要となるため配線を少なくすることができる。したがって、管理者にとって機器監視制御システムの保守・点検が煩雑になることを防ぐことができる。
【発明を実施するための最良の形態】
【００１３】
図１は、本発明の機器監視制御システムの構成を示すブロック図である。機器監視制御システム１は、コンピュータ１０と、コンピュータ１０に接続される制御システム１３とで構成されたシステムである。ここで、コンピュータ１０は、タッチパネルディスプレイ１１と、タッチパネルディスプレイ１１に接続されるコンピュータ本体１２とで構成されている。また、制御システム１３は、コンピュータ本体１２に接続される。各装置は、ＬＡＮ等のネットワークで接続される。
【００１４】
制御システム１３は、コンピュータ本体１２によって管理される装置群であり、ロボット、搬送装置、調節計、工作機械等の様々なターゲットデバイスと、ターゲットデバイスを制御するためのＰＬＣと、ＰＬＣに接続されて情報の表示及び入力を行うプログラマブル表示器等がＬＡＮ等のネットワークで接続されて構成されるものである。
【００１５】
図１では、制御システム１３の様々な構成を例示している。具体的には、ターゲットデバイス１４ａがＰＬＣ１５ａに接続され、ＰＬＣ１５ａがプログラマブル表示器１６ａに接続され、プログラマブル表示器１６ａがコンピュータ本体１２に接続された制御システム１３ａ、２つのターゲットデバイス１４ｂ1、１４ｂ2が並列にＰＬＣ１５ｂに接続され、ＰＬＣ１５ｂがプログラマブル表示器１６ｂに接続され、プログラマブル表示器１６ｂがコンピュータ本体１２に接続された制御システム１３ｂ、ターゲットデバイス１４ｃがＰＬＣ１５ｃに接続され、ＰＬＣ１５ｃがコンピュータ本体１２に接続された制御システム１３ｃ、ターゲットデバイス１４ｄがプログラマブル表示器１６ｄに接続され、プログラマブル表示器１６ｄがコンピュータ本体１２に接続された制御システム１３ｄ、ターゲットデバイス１４ｅがコンピュータ本体１２に接続された制御システム１３ｅが例示されている。
【００１６】
つまり、制御システム１３としては少なくとも１つ以上のターゲットデバイスを含んでいればよく、ＰＬＣやプログラマブル表示器は必要に応じて設置すればよい。ここで、ＰＬＣ１５ｃとコンピュータ本体１２の関係のように、プログラマブル表示器を用いない場合は、ＰＬＣ１５ｃ又はコンピュータ１０のどちらかがプログラマブル表示器の機能も備えている。また、ターゲットデバイス１４ｄとプログラマブル表示器１６ｄの関係のように、ＰＬＣを用いない場合は、プログラマブル表示器１６ｄがＰＬＣの機能も備えている。また、ターゲットデバイス１４ｅとコンピュータ本体１２の関係のように、ＰＬＣ及びプログラマブル表示器を用いない場合は、コンピュータ１０がＰＬＣ及びプログラマブル表示器の機能も備えている。
【００１７】
図２は、タッチパネルディスプレイ１１及びコンピュータ本体１２の要部構成を示すブロック図である。
【００１８】
タッチパネルディスプレイ１１は、表示部２０と、タッチパネル２１と、電源スイッチ２２と、タッチパネルディスプレイ記憶部２３と、タッチパネルディスプレイ制御部２４と、タッチパネルディスプレイ電源回路２５と、コンピュータ本体起動・終了信号送信部２６とを備えている。そしてタッチパネルディスプレイ制御部２４は、判定部２７と、タッチパネルディスプレイ起動・終了制御部２８と、コンピュータ本体起動・終了信号発生部２９とを備えている。
【００１９】
一方、コンピュータ本体１２は、コンピュータ本体起動・終了信号受信部３０と、コンピュータ本体記憶部３１と、コンピュータ本体制御部３２と、コンピュータ本体電源回路３３とを備えている。そしてコンピュータ本体制御部３２は、コンピュータ本体起動・終了制御部３４を備えている。なお、コンピュータ本体１２は、キーボード、マウス等の入力装置とＣＲＴディスプレイ、液晶ディスプレイ、有機ＥＬディスプレイ、プラズマディスプレイ等の出力装置を備えていない。
【００２０】
タッチパネルディスプレイ１１の各部について具体的に見ていくと、表示部２０は、タッチパネルディスプレイ制御部２４からの制御信号に基づいて表示を行う。例えば、タッチパネルディスプレイ記憶部２３に記憶された画像に基づいて表示を行う。そして表示部２０は、液晶、有機ＥＬ、プラズマ方式等、薄型のものを採用することが好ましい。
【００２１】
タッチパネル２１は、ユーザの入力用のものであって、表示部２０上に設けられ、表示部に２０に表示される入力キーの画像に対するユーザの押下位置の座標を特定する。その座標は、タッチパネルディスプレイ制御部２４でタッチパネル２１からの出力信号を処理して特定される。そして座標の特定結果を元に、表示部２０に表示された入力キーのうち、押下されたキーを特定し、入力された指示を判断する。タッチパネル２１としては、例えば、透明抵抗膜方式、表面弾性波方式、赤外線方式、電磁誘導方式、静電容量方式など、様々な方式を採用することができる。
【００２２】
電源スイッチ２２は、ユーザが押下することでタッチパネルディスプレイ１１を起動させるためのスイッチであり、例えば、タッチパネルディスプレイ１１の前面枠などの操作しやすい場所に設けられる。タッチパネルディスプレイ記憶部２３は、タッチパネルディスプレイ１１に必要なプログラムや設定画面等のＯＳＤ（On Screen Display）のデータを記憶するものであり、ＨＤＤや各種メモリを用いることができる。
【００２３】
タッチパネルディスプレイ制御部２４は、タッチパネルディスプレイ１１の各部を制御するものであり、判定部２７は、電源スイッチ２２がオン／オフ操作された場合にコンピュータ本体１２を制御する設定になっているか否かを判定するものである。タッチパネルディスプレイ起動・終了制御部２８は、電源スイッチ２２のオン／オフ操作に応じてタッチパネルディスプレイ電源回路２５へオン／オフの指示を出力するものである。コンピュータ本体起動・終了信号発生部２９は、コンピュータ本体１２の起動信号、終了信号、再起動信号及び強制終了信号を発生するものであり、タッチパネル２１や電源スイッチ２２の操作に応じて各種信号が生成される。
【００２４】
タッチパネルディスプレイ電源回路２５は、タッチパネルディスプレイ１１の電源オン／オフを行う回路であり、タッチパネルディスプレイ起動・終了制御部２８からの制御信号に基づいて駆動する。コンピュータ本体起動・終了信号送信部２６は、コンピュータ本体１２の起動信号、終了信号、再起動信号及び強制終了信号を送信するものであり、コンピュータ本体起動・終了信号発生部２９からの信号をコンピュータ本体１２へ送信する。
【００２５】
次に、コンピュータ本体１２の各部について具体的に見ていくと、コンピュータ本体起動・終了信号受信部３０は、タッチパネルディスプレイ１１からの起動信号、終了信号、再起動信号及び強制終了信号を受信し、コンピュータ本体起動・終了制御部３４へ出力するものである。
【００２６】
コンピュータ本体記憶部３１は、コンピュータ本体１２に必要なプログラムやデータを記憶するものであり、ＨＤＤや各種メモリを用いることができる。コンピュータ本体制御部３２は、コンピュータ本体１２の各部を制御するものであり、コンピュータ本体起動・終了制御部３４は、受信した起動信号、終了信号、再起動信号及び強制終了信号に応じてコンピュータ本体電源回路３３へオン／オフの指示を出力するものである。
【００２７】
次に、タッチパネルディスプレイ１１及びコンピュータ本体１２の動作について説明する。図３は、コンピュータ本体１２の起動制御に関するタッチパネルディスプレイ本体１１側の動作を示すフローチャートであり、図４は、コンピュータ本体１２の起動制御に関するコンピュータ本体１２側の動作を示すフローチャートである。
【００２８】
ここでのスタートは、タッチパネルディスプレイ１１及びコンピュータ本体１２が電源オフの状態であるとする。まず、図３に沿って、ステップＳ１０において、タッチパネルディスプレイ起動・終了制御部２８は電源スイッチ２２がオン操作されたと判断した場合、ステップＳ１１へ進んでタッチパネルディスプレイ電源回路２５へオンを指示する信号を出力し、タッチパネルディスプレイ１１が起動する。
【００２９】
そして、ステップＳ１２へ進んで、判定部２７は、タッチパネルディスプレイ１１の設定状態が第１モードか否かを判定する。第１モードとは、電源スイッチ２２がオン操作された場合に、コンピュータ本体１２へコンピュータ本体１２の起動信号を送信するというモードである。つまり、電源スイッチ２２のオン操作によりタッチパネルディスプレイ１１とコンピュータ本体１２との両方を起動させるモードである。第１モードと後述する第２モードとの切り替えはユーザがＯＳＤ表示される設定画面やタッチパネルディスプレイ１１に設けられたディップスイッチなどで変更できるようにすればよい。
【００３０】
ステップＳ１２において判定部２７が第１モードであると判定した場合は、ステップＳ１３へ進んでコンピュータ本体起動・終了信号発生部２９が、コンピュータ本体１２の起動信号を発生し、ステップＳ１４へ進んでコンピュータ本体起動・終了信号送信部２６が、コンピュータ本体１２の起動信号をコンピュータ本体１２へ送信して処理を終了する。
【００３１】
一方、ステップＳ１２において判定部２７が第１モードでない判定した場合は、ステップＳ１５へ進んで、判定部２７は、タッチパネルディスプレイ１１の設定状態が第２モードか否かを判定する。第２モードとは、タッチパネルディスプレイ１１の起動後に、タッチパネル２１が所定操作された場合、コンピュータ本体１２へコンピュータ本体１２の起動信号を送信するというモードである。つまり、ユーザがタッチパネル２１を操作することによりコンピュータ本体１２を起動させるモードである。
【００３２】
ステップＳ１５において判定部２７が第２モードであると判定した場合は、ステップＳ１６へ進んでタッチパネル２１が所定操作されたか否かを判定する。ここでの所定操作とは、例えば、ＯＳＤ表示される設定画面でコンピュータ本体用電源キーを操作することである。ＯＳＤ画面は、例えば、タッチパネル２１の左上の角、右上の角、右下の角をこの順に操作することや、左上の角と右上の角とを同時に操作（二点押）することで表示できる。そして、ＯＳＤ画面の一機能として設定画面を表示することができる。
【００３３】
ステップＳ１６において判定部２７が所定操作されたと判定した場合は、コンピュータ本体１２の電源オンが指示されたと判断してステップＳ１３へ進み、ステップＳ１４へと続く。一方、ステップＳ１５で判定部２７が第２モードでないと判定した場合は、第１、第２何れのモードも設定されていない場合であり、そのまま処理を終了する。この場合は、コンピュータ本体１２を起動させるためには従来と同様にコンピュータ本体１２の電源スイッチ（不図示）を直接操作する必要がある。なお、第１、第２の何れかのモードしか選択できないようにしておけば、コンピュータ本体１２の電源スイッチはなくてもよい。
【００３４】
次に、図４に沿って、ステップＳ２０においてコンピュータ本体１２のコンピュータ本体制御部３２はタッチパネルディスプレイ１１からコンピュータ本体１２の起動信号を受信したか否かを判断する。起動信号を受信した場合は、ステップＳ２１へ進んでコンピュータ本体電源回路３３へオンを指示する信号を出力し、コンピュータ本体１２が起動する。
【００３５】
なお、タッチパネルディスプレイ１１の他の仕様として、第１モード又は第２モードのどちらかに固定されていてもよい。この場合、図３で示したステップＳ１２やステップＳ１５のモードがどちらであるかの判断は不要となる。
【００３６】
タッチパネルディスプレイ１１はＨＭＩとして利用されるので、ユーザが操作しやすい場所に設置されるので、上述のようにタッチパネルディスプレイ１１からコンピュータ本体１２を起動できるようにすることにより、コンピュータ本体１２が生産ラインやプラントのような機器監視制御システムに設置される場合でも、制限された空間に設置されたコンピュータ本体まで操作者が行く必要がなくなる。したがって、操作者にとってコンピュータの操作性が向上する。
【００３７】
また、上記の構成によれば、コンピュータ本体の電源スイッチをコンピュータ本体から配線を延長してタッチパネルディスプレイ付近に設ける場合に比べて、機器監視制御システムに新たな配線が不要となるため配線を少なくすることができる。したがって、管理者にとって機器監視制御システムの保守・点検が煩雑になることを防ぐことができる。
【００３８】
また、上記の第２モードに設定した場合、タッチパネル２１を所定操作しなければコンピュータ本体１２が起動しないので、タッチパネルディスプレイ１１の電源スイッチ２２を誤操作することによるコンピュータ本体１２の誤起動を防ぐことができる。
【００３９】
上記のフローチャートでは、起動を例に説明したが、本発明は、終了、再起動及び強制終了にも適用することができる。例えば、タッチパネル２１を所定操作（例えばメニュー画面から終了キー、再起動キーを操作）することでタッチパネルディスプレイ１１からコンピュータ本体１２へコンピュータ本体１２を終了又は再起動させる信号を送信するようにすればよい。また例えば、タッチパネルディスプレイ１１の電源スイッチ２２をオフ操作することで、タッチパネルディスプレイ１１をオフするとともに、タッチパネルディスプレイ１１からコンピュータ本体１２へコンピュータ本体１２を強制終了させる信号を送信するようにすればよい。
【００４０】
なお本発明においては、タッチパネルディスプレイが電源スイッチの操作により起動するのは、待機電力の状態からであってもよいし、待機電力の状態ではなく電源スイッチの操作により始めて通電する状態であってもどちらでもよい。コンピュータ本体がタッチパネルディスプレイからの起動信号により起動するのも同様に、待機電力の状態からであってもよいし、待機電力の状態ではなくタッチパネルディスプレイの電源スイッチの操作により始めてコンピュータ本体が通電する状態であってもどちらでもよい。これは、コンピュータ本体がタッチパネルディスプレイを介して電源を供給されていることを意味している。
【００４１】
なお本発明においては、タッチパネルディスプレイとコンピュータ本体とを接続するための、画像信号とタッチパネル操作信号とを送受信するケーブルの使われていないピンを用いて起動信号などの信号を送るようにしてもよい。
【００４２】
なお本発明においては、１つのタッチパネルディスプレイに複数のコンピュータ本体を接続すれば、その１つのタッチパネルディスプレイで各コンピュータ本体の起動、終了、再起動、強制終了ができるようにすることも可能である。
【産業上の利用可能性】
【００４３】
本発明のタッチパネルディスプレイと、これに接続されるコンピュータ本体と、これらタッチパネルディスプレイとコンピュータ本体とを含むコンピュータと、タッチパネルディスプレイの制御方法と、コンピュータ本体の制御方法と、コンピュータの制御方法と、タッチパネルディスプレイの制御プログラムと、コンピュータ本体の制御プログラムとは、タッチパネルディスプレイとコンピュータ本体とが離れて設置されている場合に有用であり、特に生産ラインやプラント内に設置される工業用コンピュータに有効に用いられる。
【図面の簡単な説明】
【００４４】
【図１】本発明の機器監視制御システムの構成を示すブロック図である。
【図２】図１のタッチパネルディスプレイ及びコンピュータ本体の要部構成を示すブロック図である。
【図３】コンピュータ本体の起動制御に関するタッチパネルディスプレイ側の動作を示すフローチャートである。
【図４】コンピュータ本体の起動制御に関するコンピュータ本体側の動作を示すフローチャートである。
【符号の説明】
【００４５】
１    機器監視制御システム
１０    コンピュータ
１１    タッチパネルディスプレイ
１２    コンピュータ本体
２０    表示部
２１    タッチパネル
２２    電源スイッチ
【図１】
2010128632.tif 000003
【図２】
2010128632.tif 000004
【図３】
2010128632.tif 000005
【図４】
2010128632.tif 000006